(57)【要約】【課題】携帯性と閲覧性を両立しながら、表示部の平面性を確保できる表示装置を提供すること。【解決手段】第１パネルと、第２パネルと、前記第１パネルと前記第２パネルを相対的に回転可能に連結し磁性体からなる磁性部を有するヒンジと、可撓性を有するディスプレイと、前記第１パネルに保持された磁石と、を有し、前記第１パネルの第１面と前記第２パネルの第２面と前記磁性体が形成する第３面は、前記ディスプレイの表示面とは逆の面に固定され、前記第１パネルと前記第２パネルの相対的な回転によって、前記第１面と前記第２面が互いに平行で逆方向に向き前記ディスプレイが折り畳まれる収納状態と、前記第１面と前記第２面が互いに平行で同じ方向に向き前記ディスプレイが展開される展開状態と、に遷移が可能であって、収納状態に対して展開状態において前記磁性部と前記磁石が近接し、前記磁性部と前記磁石との間に形成され前記第１面と平行な第４面の方向に前記磁性部が付勢されることを特徴とする。【選択図】図１
2020046602.tif 000002
【特許請求の範囲】
【請求項１】
第１パネルと、
第２パネルと、
前記第１パネルと前記第２パネルを相対的に回転可能に連結し磁性体からなる磁性部を有するヒンジと、
可撓性を有するディスプレイと、
前記第１パネルに保持された磁石と、
を有し、
前記第１パネルの第１面と前記第２パネルの第２面と前記磁性体が形成する第３面は、前記ディスプレイの表示面とは逆の面に固定され、
前記第１パネルと前記第２パネルの相対的な回転によって、前記第１面と前記第２面が互いに平行で逆方向に向き前記ディスプレイが折り畳まれる収納状態と、前記第１面と前記第２面が互いに平行で同じ方向に向き前記ディスプレイが展開される展開状態と、に遷移が可能であって、
収納状態に対して展開状態において前記磁性部と前記磁石が近接し、前記磁性部と前記磁石との間に形成され前記第１面と平行な第４面の方向に前記磁性部が付勢されることを特徴とする表示装置。
【請求項２】
前記磁性部は回転方向と直交する方向に延出した複数の棒部であることを特徴とする請求項１に記載の表示装置。
【請求項３】
前記棒部は収納状態において互いに当接して第３面を円筒面に形成することを特徴とする請求項２に記載の表示装置。
【請求項４】
前記磁石は前記第１パネルに対して第１面の法線方向および棒部の延出方向と直交する方向に移動可能に保持され、収納状態において前記ヒンジから退避する方向に移動することを特徴とする請求項１に記載の表示装置。
【発明の詳細な説明】
【技術分野】
【０００１】
本発明は、可撓性を有する表示部を備えた表示装置に関する。
【背景技術】
【０００２】
従来、可撓性を有する表示部を変形させて、装置サイズが小さい収納状態と表示面積の大きい展開状態とを切り替え可能にすることで、携帯性と閲覧性を両立できる表示装置が知られている。特許文献１には、折り曲げ可能な表示デバイスを、回動可能な２つの筺体に保持することで、筺体の小型化とディスプレイ装置の大型化を両立するディスプレイ装置が開示されている。
【先行技術文献】
【特許文献】
【０００３】
【特許文献１】特開２００５−１１４７５９号公報
【発明の概要】
【発明が解決しようとする課題】
【０００４】
特許文献１に記載のディスプレイ装置は、ディスプレイ部を筺体の開閉動作に滑らかに追従させるために、ディスプレイ部の裏面に弾性を有するシートを設けている。しかし、変形の回数、温度などの外部環境、経年劣化などによって、シートにたるみが発生し、ディスプレイ部の平面度が低下するおそれがあった。また、対策としてシートを強靭な部材で構成すると、シートによってディスプレイ部の柔軟性を損なうおそれがあった。特許文献１に記載の他のディスプレイ装置では、ディスプレイ部と筺体の間にテンショナ部材を設けている。しかし、各部の寸法公差などにより、ディスプレイ部に均一な力がかからず、しわになってしまうおそれがあった。
【０００５】
そこで、本発明の目的は、携帯性と閲覧性を両立しながら、表示部の平面性を確保できる表示装置を提供することにある。
【課題を解決するための手段】
【０００６】
上記の目的を達成するために、本発明に係る表示装置は、
第１パネルと、第２パネルと、前記第１パネルと前記第２パネルを相対的に回転可能に連結し磁性体からなる磁性部を有するヒンジと、可撓性を有するディスプレイと、前記第１パネルに保持された磁石と、を有し、前記第１パネルの第１面と前記第２パネルの第２面と前記磁性体が形成する第３面は、前記ディスプレイの表示面とは逆の面に固定され、前記第１パネルと前記第２パネルの相対的な回転によって、前記第１面と前記第２面が互いに平行で逆方向に向き前記ディスプレイが折り畳まれる収納状態と、前記第１面と前記第２面が互いに平行で同じ方向に向き前記ディスプレイが展開される展開状態と、に遷移が可能であって、収納状態に対して展開状態において前記磁性部と前記磁石が近接し、前記磁性部と前記磁石との間に形成され前記第１面と平行な第４面の方向に前記磁性部が付勢されることを特徴とする。
【発明の効果】
【０００７】
本発明によれば、携帯性と閲覧性を両立しながら、表示部の平面性を確保できる表示装置の提供を実現できる。
【図面の簡単な説明】
【０００８】
【図１】展開状態における表示装置１００の正面図および側面図および断面図
【図２】表示装置１００を示す分解斜視図
【図３】展開状態における表示装置１００のＡ−Ａ断面による拡大断面図
【図４】ヒンジ１０３の周辺を示した簡略断面図
【図５】展開状態における表示装置１００のＣ−Ｃ断面による拡大断面図
【図６】収納状態における表示装置１００の正面図および側面図および断面図
【図７】収納状態における表示装置１００のＤ−Ｄ断面による拡大断面図
【図８】表示装置１００の変形例の拡大断面図
【図９】展開状態と収納状態との間の遷移状態における表示装置１００を示す図
【発明を実施するための形態】
【０００９】
以下、本発明を実施するための形態について、図面を参照しながら説明する。
【００１０】
［第１実施形態］
第１実施形態である表示装置１００の構成について説明する。図１は、表示装置１００を示す図である。各座標軸の方向をＸ、Ｙ、Ｚとして図中に示す。図１は、正面図、側面図、Ｘ軸と直交するＡ−Ａ断面による断面図、Ｙ軸と直交するＣ−Ｃ断面による断面図からなる。図２（ａ）（ｂ）は、表示装置１００を示す分解斜視図である。
【００１１】
矩形平板形状の第１パネル１０１のＸ軸に平行な一辺は、ヒンジ１０３の一方の辺に固定されている。また、矩形平板形状の第２パネル１０２のＸ軸に平行な一辺は、ヒンジ１０３の他方の辺に固定されている。ヒンジ１０３は、Ｘ軸に平行な軸を中心とした回転方向に自在に曲げることが可能である。すなわち、ヒンジ１０３は、第１パネル１０１と第２パネル１０２を相対的に回転可能に連結している。第１パネル１０１の一方の面をＡ面（請求項中の第１面）とし、第２パネル１０２の一方の面をＢ面（請求項中の第２面）とする。ヒンジ１０３を曲げずに平坦にしたとき、後述のヒンジ１０３の一部がなす面であるＣ面（請求項中の第３面）は、Ｚの正方向に向かう平面となる。
【００１２】
矩形で薄いフィルム状のディスプレイ１０４は、有機ＥＬなどから形成され、可撓性を有し柔軟に曲げることが可能ないわゆるフレキシブルディスプレイである。ディスプレイ１０４の表裏のうち一方の面であるＤ面は、表示内容を自在に変更可能な表示面である。ディスプレイ１０４のＤ面と逆の面は、第１パネル１０１のＡ面、第２パネル１０２のＢ面、ヒンジ１０３の一部がなすＣ面に対し、連続的に両面テープなどで固定されている。
【００１３】
ヒンジ１０３を曲げずに平坦にしたとき、第１パネル１０１のＡ面、第２パネル１０２のＢ面、ヒンジ１０３の一部がなすＣ面がともにＺの正方向に向く。すなわち、第１面であるところのＡ面と第２面であるところのＢ面が互いに平行で同じ方向に向きディスプレイ１０４が展開される。このような表示装置１００の状態を展開状態とする。
【００１４】
矩形平板形状のスライダー１０５には、Ｚの負方向に開口した有底穴である４つの磁石穴１０５ａ、１０５ｂ、１０５ｃ、１０５ｄがＸ軸方向に順に形成されている。磁石穴１０５ａ、１０５ｂ、１０５ｃ、１０５ｄのそれぞれには、矩形平板形状であって厚さ方向に磁極が２分された永久磁石である磁石１０６ａ、１０６ｂ、１０６ｃ、１０６ｄがＸ軸方向に順に挿入され固定されている。磁石１０６ａ、１０６ｃはＳ極をヒンジ１０３に対向させており、磁石１０６ｂ、１０６ｄはＮ極をヒンジ１０３に対向させている。
【００１５】
また、スライダー１０５には、Ｚの負方向に開口した有底穴である２つのヨーク穴１０５ｅ、１０５ｆがＸ軸方向に順に形成されている。ヨーク穴１０５ｅ、１０５ｆのそれぞれには、矩形平板形状の磁性体からなるヨーク１０７ａ、１０７ｂが順に挿入され固定されている。ヨーク１０７ａには磁石１０６ａのＮ極と磁石１０６ｂのＳ極が対向し吸着されており、ヨーク１０７ｂには磁石１０６ｃのＮ極と磁石１０６ｄのＳ極が対向し吸着されている。
【００１６】
スライダー１０５、磁石１０６ａ〜ｄ、ヨーク１０７ａ〜ｂを合わせてスライダーユニット１１０とする。第１パネル１０１には、Ｙの負方向に開口した有底穴であるスライダー穴１０１ａが形成され、スライダーユニット１１０が摺動可能に挿入されて保持されている。スライダーユニット１１０は、スライダー穴１０１ａにガイドされ、第１パネル１０１に対してＸ方向とＺ方向への移動が規制されるとともに、Ｙ方向へは正逆自在に移動可能である。すなわち、磁石１０６ａ〜ｄは第１パネル１０１に対して第１面であるところのＡ面の法線方向および後述する棒部１０３ａの延出方向と直交する方向であるＳ方向に移動可能に保持されている。したがって、第１パネル１０１からＹの負方向（図中Ｓ方向）に突出する突出量ｄは自在に変えることができる。
【００１７】
スライダーユニット１１０は、不図示の付勢手段によってＳ方向に付勢されている。また、不図示の規制手段によって第１パネル１０１からＹの負方向に突出する量は図１に示す突出量ｄより大きくならないように規制されている。よって、展開状態では、スライダーユニット１００は第１パネル１０１からＹの負方向に突出量ｄだけ突出した状態にある。
【００１８】
ここで、スライダーユニット１１０とヒンジ１０３の配置について説明する。図３は、図１のＡ−Ａ断面図中のＢ部を拡大した拡大断面図である。
【００１９】
前述のように、磁石１０６ｃはＳ極をヒンジ１０３に対向させており、Ｎ極をヨーク１０７ｂに対向させている。また、スライダー１０５は磁石穴１０５ａ〜ｄとヨーク穴１０５ｅ〜ｆの開口側と逆側に形成されたＺ軸に直交する平面であるＥ面（請求項中の第４面）をヒンジ１０３に対向させ、当接している。すなわち、第４面であるところのＥ面は、第１面であるところのＡ面と平行である。
【００２０】
ヒンジ１０３は、Ｘ軸方向に延出し断面形状が均一な台形の棒形状であって、Ｙ方向に配列された１１個の棒部１０３ａからなる。棒部１０３ａは請求項中の磁性部に相当し、Ｘ軸方向は第１パネル１０１と第２パネルの回転方向と直交する方向に相当する。棒部１０３ａは鉄などの磁性体で形成されている。第１パネル１０１に近い順にｎ番目の棒部を１０３ａ（ｎ）とする。全ての棒部１０３ａ（１）〜（１１）は断面形状が同一である。展開状態において、棒部１０３ａと磁石１０６ａ〜ｄはスライダー１０５のＥ面を挟んでＺ方向に対向する。すなわち、第４面であるところのＥ面は、棒部１０３ａと磁石１０６ａ〜ｄとの間に形成されている。
【００２１】
第１パネル１０１、棒部１０３ａ、第２パネル１０２のそれぞれの間は、１２個の接続部１０３ｂによって接続されている。第１パネル１０１に近い順にｎ番目の接続部を１０３ｂ（ｎ）とする。
【００２２】
ここで、ヒンジ１０３の詳細について説明する。図４は、図３の拡大断面図のうちヒンジ１０３周辺を簡略化して示した簡略断面図である。
【００２３】
ある棒部１０３ａ（ｎ）の台形断面を構成する４面を以下のように定義する。すなわち、向かい合う平行な面のうち小さい面を上面Ｓ１（ｎ）、向かい合う平行な面のうち大きい面を下面Ｓ２（ｎ）、残りの２面のうち第１パネル１０１に近い面を面Ｓ３（ｎ）、遠い面を面Ｓ４（ｎ）とする。棒部１０３ａ（１）と対向する第１パネル１０１の面をＳ５、棒部１０３ａ（１１）と対向する第２パネル１０２の面をＳ６とする。
【００２４】
面Ｓ３（ｎ）と面Ｓ４（ｎ）がなす角は等しくθである。面Ｓ５および面Ｓ６とＺ軸のなす角はそれぞれθ／２である。角度θは棒部１０３ａの数をＮとしたとき、以下のように設定されている。
【００２５】
θ＝１８０°／（Ｎ＋１）
本実施例ではＮ＝１１、θは１５°である。
【００２６】
ｎ＝１とｎ＝１２を除く接続部１０３ｂは、隣り合う棒部１０３ａの下面Ｓ２のＸ軸と平行な辺同士を回転可能に接続している。図４に示すように、接続部１０３ｂ（ｎ）は、棒部１０３ａ（ｎ−１）の下面Ｓ２（ｎ−１）のＸ軸と平行な辺と、棒部１０３ａ（ｎ）の下面Ｓ２（ｎ）のＸ軸と平行な辺とをＸ軸周りに回転可能に接続している。接続部１０３ｂ（ｎ）によって接続された下面Ｓ２（ｎ）が連なってＣ面を形成している。すなわち、ヒンジ１０３の一部である磁性体であるところの棒部１０３ａが請求項中の第３面であるところのＣ面を形成している。
【００２７】
接続部１０３ｂ（１）は、棒部１０３ａ（１）の下面Ｓ２（１）のＸ軸と平行な辺と、第１パネル１０１のＡ面のＸ軸と平行な辺とをＸ軸周りに回転可能に接続している。接続部１０３ｂ（１２）は、棒部１０３ａ（１１）の下面Ｓ２（１１）のＸ軸と平行な辺と、第２パネル１０２のＢ面のＸ軸と平行な辺とをＸ軸周りに回転可能に接続している。
【００２８】
ヒンジ１０３が複数の棒部１０３ａに分割されていることで、第１パネル１０１と第２パネル１０２を相対的に回転可能に連結することが可能である。
【００２９】
ここで、磁石１０６の磁力について説明する。図５は、図１のＣ−Ｃ断面図中のＦ部を拡大した拡大断面図である。
【００３０】
前述のように、磁石１０６ｃはＳ極をヒンジ１０３に対向させており、Ｎ極をヨーク１０７ｂに対向させている。また、磁石１０６ｄはＮ極をヒンジ１０３に対向させ、Ｓ極をヨーク１０７ｂに対向させている。したがって、永久磁石からなる磁石１０６ｃと磁石１０６ｄ、および、磁性体からなるヨーク１０７ｂと棒部１０３ａ（６）によって、磁路Ｍが形成される。結果として、磁石１０６ｃ、磁石１０６ｄ、ヨーク１０７ｂが固定されているスライダー１０５のＥ面に棒部１０３ａ（６）が図中の磁力Ｆで吸着される。すなわち、棒部１０３ａと磁石１０６ｃとの間に形成され第１パネル１０１のＡ面と平行な第４面であるところのＥ面の方向に、棒部１０３ａが付勢される。
【００３１】
図３で示すように、ヒンジ１０３を構成する全ての棒部１０３ａ（１）〜（１１）についても同様の磁路Ｍが形成され、棒部１０３ａ（１）〜（１１）はスライダー１０５のＥ面に吸着される。展開状態では、棒部１０３ａと磁石１０６ａ〜ｄが近接するため、後述する収納状態に対して吸着力が大きい。前述のように棒部１０３ａの断面形状は台形で同一であるため、Ｃ面はＥ面に沿ってＺ軸に直交する平面となるように保持される。したがって、ディスプレイ１０４は、表示面であるＤ面全体がＺ軸に直交する平面となり、曲げ部にしわやたるみなどができることなく平面性を確保できる。また、磁石１０６ａ、１０６ｂ、１０６ｃ、１０６ｄがＸ軸方向に順に配置されているので、曲げ部の全面にわたってしわやたるみなどができることなく平面性を確保できる。
【００３２】
ここで、表示装置１００の変形について説明する。表示装置１００は前述の展開状態とこれから説明する収納状態に変形可能である。図６は、収納状態における表示装置１００を示す図である。各座標軸の方向をＸ、Ｙ、Ｚとして図中に示す。図６は、正面図、側面図、Ｘ軸と直交するＤ−Ｄ断面による断面図からなる。
【００３３】
図１に示す展開状態から、外力により第１パネル１０１を固定してヒンジ１０３を１８０°曲げたとき、第１パネル１０１のＡ面はＺの正方向に向き、第２パネル１０２のＢ面がＺの負方向に向く。すなわち、第１面であるところのＡ面と第２面であるところのＢ面が互いに平行で逆方向に向きディスプレイ１０４が折り畳まれる。このような表示装置１００の状態を収納状態とする。
【００３４】
収納状態では、ヒンジ１０３のＣ面は、接続部１０３ｂが回転することで、Ｘ軸と平行な軸を中心とした円筒面となるように丸められる。ディスプレイ１０４は、ヒンジ１０３のＣ面に沿って丸められ、Ａ面、Ｃ面、Ｂ面に沿ったＵ字形状に変形する。
【００３５】
ここで、収納状態におけるヒンジ１０３の詳細について説明する。図７は、図６のＤ−Ｄ断面図中のＥ部を拡大した拡大断面図である。
【００３６】
収納状態では、第１パネル１０１、棒部１０３ａ、第２パネル１０２がそれぞれ当接している。すなわち、棒部１０３ａ（１）は、面Ｓ３（１）を第１パネル１０１の面Ｓ５に当接させ、面Ｓ４（１）を棒部１０３ａ（２）に当接させている。また、ｎ＝１とｎ＝１２を除く棒部１０３ａ（ｎ）は、面Ｓ３（ｎ）を棒部１０３（ｎー１）の面Ｓ４（ｎ−１）に当接させ、面Ｓ４（ｎ）を棒部１０３（ｎ＋１）の面Ｓ３（ｎ＋１）に当接させている。さらに、棒部１０３ａ（１１）は、面Ｓ３（１１）を棒部１０３ａ（１０）の面Ｓ４（１０）に当接させ、面Ｓ４（１１）を第２パネル１０２の面Ｓ６に当接させている。
【００３７】
したがって、第１パネル１０１に対して第２パネル１０２は各当接部の斜面角度の和だけ回転し、その回転角は棒部１０３ａの数をＮとしたとき、以下のようになる。
【００３８】
θ／２＋θ×Ｎ＋θ／２＝１８０°
すなわち、第１パネル１０１と第２パネル１０２は相対的に１８０°回転する。したがって、表示装置１００は、装置サイズが小さい収納状態と表示面積の大きい展開状態を切り替えることで、携帯性と閲覧性を両立できる。
【００３９】
収納状態では、棒部１０３ａの下面Ｓ２（１）〜Ｓ２（１１）が連なって形成されるＣ面は、近似的に、Ｘ軸と平行な軸を中心とした円筒面となる。すなわち、棒部１０３ａは収納状態において互いに当接して第３面であるところのＣ面を円筒面に形成する。その円筒面は、棒部１０３ａの面Ｓ３および面Ｓ４を延長した平面の交わる軸Ｏを中心としており、軸ＯとＡ面の距離をＲとしたとき半径Ｒの円筒面となる。したがって、ディスプレイ１０４の曲げ半径はＲより大きくなるように規制される。そのため、一般に曲げ半径が小さくなると耐久性が低下するフレキシブルディスプレイの耐久性を確保することができる。
【００４０】
本実施例では、ヒンジ１０３の曲げに伴い、第２パネル１０２および棒部１０３ａの上面Ｓ１がスライダー１０５と当接し、Ｓ方向と逆の方向にスライダーユニット１１０を押し込む。図３で示す展開状態において、第２パネル１０２に対してＺ軸の負の方向に力Ｆｂを加えると、第２パネル１０２のＢ面と逆側の面に形成されたテーパー面１０２ａがスライダー１０５に当接し、斜め方向の力Ｆｃを作用させる。結果としてスライダー１０５はＳ方向の負の方向に移動する。その後、順次、棒部１０３ａの上面Ｓ１（１１）、Ｓ１（１０）がスライダー１０５を押し込み、スライダー１０５を移動させる。
【００４１】
図９は、展開状態と収納状態との間の遷移状態における表示装置１００を示す図である。各座標軸の方向をＸ、Ｙ、Ｚとして図中に示す。図９（ａ）は正面図、図９（ｂ）はＸ軸と直交するＧ−Ｇ断面による断面図、図９（ｃ）は図９（ｂ）のＨ部を拡大した拡大断面図である。図９で示す遷移状態では、第２パネル１０２に作用するＹ軸の正の方向に力Ｆｄを加えることで、互いに当接する第２パネル１０２と棒部１０３ａ（７）〜（１１）の当接面から力が伝達される。さらに、棒部１０３ａ（７）〜（９）の上面Ｓ１（７）〜（９）がスライダー１０５に当接し、斜め方向の力Ｆｅを作用させる。結果としてスライダー１０５はＳ方向の負の方向に移動する。
【００４２】
図７に示す収納状態では、棒部１０３ａ（１）〜（３）によって押し込まれ、スライダー１０５がスライダー穴１０１ａに格納される。すなわち、スライダー１０５に固定された磁石１０６ａ〜ｄは、収納状態においてヒンジ１０３から退避する方向に移動する。したがって、ヒンジ１０３と磁石１０６ａ〜ｄを含むスライダーユニット１１０が干渉し、曲げを阻害することが無く、スムーズな曲げ動作が可能である。また、収納状態では、棒部１０３ａと磁石１０６ａ〜ｄが離間するため、展開状態に対して吸着力が小さい。
【００４３】
以上説明したように、本実施形態の表示装置１００は、携帯性と閲覧性を両立しながら、表示部の平面性を確保できる表示装置を提供することができる。
【００４４】
以下、本実施例の変形例について説明する。
【００４５】
本実施例では、棒部１０３ａの断面形状を台形としたが、断面形状を円形にして、棒部１０３ａを複数の円筒軸として形成してもよい。この場合も、棒部１０３ａが互いに当接することでＣ面を円筒面に形成することが可能であり、本実施例と同様の効果を得るとともに、棒部１０３ａを加工しやすくなる。
【００４６】
本実施例では、磁石１０６ａ〜ｄを永久磁石としたが、これを電磁石とし、展開状態のみで通電する構成とすることもできる。本実施例と同様の効果を得るとともに、展開状態から収納状態に遷移する途中において、曲げを阻害する磁力Ｆが発生しないので、スムーズな曲げ動作が可能となる。
【００４７】
本実施例では、展開状態からの第２パネル１０２の回転方向を、Ｘ軸に対して右ねじの方向としたが、逆に左ねじの方向として、収納状態においてディスプレイ１０４が第１パネル１０１と第２パネル１０２に挟まれるように構成してもよい。その際、ディスプレイ１０４の曲げ半径を規制する規制手段を別途設けることが望ましい。本実施例と同様の効果を得るとともに、収納状態へ遷移するときに磁石１０６ａ〜ｄを移動させる必要が無く、構造を単純化できる。
【００４８】
図８にさらに別の変形例の拡大断面図を示す。図８（ａ）は図３に対応し展開状態を示し、図８（ｂ）は図７に対応し収納状態を示す。この変形例では、ヨーク１０７ａ〜ｂを廃止し、磁気検知部１０８、吸着ヨーク１０９を新たに設けた。ヨーク１０７ａ〜ｂが無くても、磁石１０６ａ〜ｄとヒンジ１０３との間に磁力Ｆが発生するので、展開状態において磁石１０６ａ〜ｄとヒンジ１０３が吸着する。よって、本実施例と同様の効果が得られる。
【００４９】
磁気検知部１０８は、第１パネル１０１に固定され、Ｚ方向の磁石１０６ｃの磁気を検知することが可能である。前述のように、展開状態から収納状態に遷移するときに、磁石１０６ａ〜ｄを含むスライダーユニット１１０はＳ方向に移動する。本変形例では、展開状態ではＺ方向に対向しない磁気検知部１０８と磁石１０６ｃは、スライダーユニット１１０の移動によって、収納状態でＺ方向に対向する。したがって、磁気検知部１０８によって、表示装置１００が収納状態にあるかどうかを検知することが可能となる。すなわち、従来は収納状態にあるかどうかを検知するための被検出部材を別に設ける必要があったが、磁石１０６ｃを被検出部材として兼用することで、部品点数の削減が可能となる。磁気検知部１０８の出力に応じて、ディスプレイ１０４の表示を切り替えてもよいし、他の制御を行ってもよい。
【００５０】
吸着ヨーク１０９は、第２パネル１０２に固定され、鉄などの磁性体からなる。本変形例では、展開状態ではＺ方向に対向しない吸着ヨーク１０９と磁石１０６ｃは、第１パネル１０１と第２パネル１０２の相対回転によって、収納状態でＺ方向に対向する。したがって、吸着ヨーク１０９と磁石１０６ｃとの間に働く磁力によって、収納状態を保持する保持力を発生させることが可能となる。すなわち、従来は収納状態を保持するための磁石を別に設ける必要があったが、磁石１０６ｃを保持用磁石として兼用することで、部品点数の削減が可能となる。この保持力は、携帯時に収納状態としたときに、外力によって意図せず展開状態とならないようにロックしておくのに有用である。
【符号の説明】
【００５１】
１００  表示装置、１０１  第１パネル、１０２  第２パネル、
１０３  ヒンジ、１０４  ディスプレイ、１０５  スライダー、
１０６ａ〜ｄ  磁石、１０７ａ〜ｂ  ヨーク、１１０  スライダーユニット
【図１】
2020046602.tif 000003
【図２】
2020046602.tif 000004
【図３】
2020046602.tif 000005
【図４】
2020046602.tif 000006
【図５】
2020046602.tif 000007
【図６】
2020046602.tif 000008
【図７】
2020046602.tif 000009
【図８】
2020046602.tif 000010
【図９】
2020046602.tif 000011